(57)【特許請求の範囲】
【請求項１】
プール側壁に縦設される開口部を通し、プール縁の地下に配設されるプール床の昇降装置とプール床を連結するアームに一端が連結され、他端が固定されて、開口部内のアームの昇降に伴い上下動してプール床上の開口部を遮蔽する細幅長尺のシャッター板を有し、該シャッター板が開口部以外の箇所において昇降可能で、重りとして作用するテンションローラに下方より掛けられることを特徴とするプール床の昇降装置における目隠装置。
【請求項２】
開口部の両側に上下方向に配置され、シャッター板のエッジを支持する第２のガイド手段を設けたことを特徴とする請求項１記載のプール床の昇降装置における目隠装置。
【発明の詳細な説明】
【０００１】
【発明が属する技術分野】
本発明は、プールに昇降可能に設置されるプール床の昇降装置において、プール縁の地下に配設される昇降装置とプール床を連結するアームが通される、プール側壁に縦設される開口部をプール床の昇降に追従して遮蔽するシャッターを備えた目隠装置に関する。
【０００２】
【従来技術】
この種の目隠装置として、実公平７−４００３２号には、プール側壁に縦設される開口部を通してプール縁の地下に配設されるプール床の昇降装置と、プール床を連結するアームに一端が連結され、開口部におけるアームの昇降に伴ってプール床上の開口部を遮蔽する細幅長尺のシャッター板と、シャッター板を巻き取るドラムと、シャッター板をガイドするガイドローラとよりなり、シャッター板を下ろして開口部を遮蔽することにより、水泳時に子供たちが誤って開口部内に手足を入れて怪我をすることがないようにした目隠装置が開示されている。
【０００３】
【発明が解決しようとする課題】
上述する既知の目隠装置では、ドラムはシャッター板に連結されて該シャッター板を巻取方向に付勢するスプリングを備えており、構造が複雑であるほか、開口部を遮蔽するシャッター板は、エッジの一部がガイドローラによりガイドされるだけであるから、水泳時に手足がガイドローラより離れた箇所でシャッター板に強く当たると、シャッター板が開口部内に押し込まれ、手足の指先が開口部縁とシャッター板との間に挟まれて怪我をするおそれがある。
【０００４】
本発明の第１の目的は、上述する従来のものよりも構造をより簡単にした目隠装置を提供しようとするものであり、第２の目的は、水泳時に手足が開口部を遮蔽するシャッター板に当たって該シャッター板を押し込むことにより、開口部縁とシャッター板との間に手足の指先が挟み込まれることのないようにした目隠装置を提供しようとするものである。
【０００５】
【課題の解決手段】
請求項１記載の発明は、第１の目的を達成する目隠装置に関するもので、プール側壁に縦設される開口部を通し、プール縁の地下に配設されるプール床の昇降装置とプール床を連結するアームに一端が連結され、他端が固定されて、開口部内のアームの昇降に伴い上下動してプール床上の開口部を遮蔽する細幅長尺のシャッター板を有し、該シャッター板が開口部以外の箇所において昇降可能で、重りとして作用するテンションローラに下方より掛けられることを特徴とし、好ましい発明では、テンションローラがガイド手段に昇降のみ可能に支持され、シャッター板の上下動に伴ってガイド手段を昇降するようにされる。
【０００６】
本発明におけるテンションローラは、常にはその自重により降下しようとしてシャッター板を持ち上げる方向に付勢し、シャッター板に一定の張力を付与する。
【０００７】
好ましい発明で用いられるガイド手段としては、例えばテンションローラの回転軸が嵌合する縦溝、縦孔、その他のガイド等を例示することができる。
【０００８】
請求項２記載の発明は、第１及び第２の目的を達成する目隠装置に関するもので、請求項１記載の発明において、開口部の両側に上下方向に配置され、シャッター板のエッジを支持する第２のガイド手段を設けたことを特徴とする。
【０００９】
本発明によると、開口部を遮蔽するシャッター板はエッジが第２のガイド手段に支持されることにより開口部内へ押し込まれるのが防止される。
本発明で用いる第２のガイド手段としては、例えばロッド、シャッター板のエッジが嵌合する縦溝、縦孔、その他のガイド等を例示することができる。
【００１０】
【発明の実施の形態】
図１に示すプール１には、側壁１ａの複数か所に開口部２が形成され、昇降可能に設置されるプール床３の昇降に伴って目隠装置を構成するシャッター板４が上下動し、プール床上の開口部２を遮蔽するようになっている。
【００１１】
プール縁の地下には、図２に示すようなプール床３の昇降装置５が配設されている。この昇降装置は、ホィール群６と、ホィール群６に掛け渡されるチェーン、ワイヤー、ロープ等の索条７と、ホィール群のうちの一つのホィール６ａを回転駆動する減速機付きモータ（図示省略）と、開口部２を通し、索条７とプール床３を連結するアーム８とよりなり、上記減速機付きモータによりホィールを正逆いずれかに回転駆動させることによりアーム８を介してプール床３を昇降させるようになっている。
【００１２】
目隠装置は図３及び図４に示すように、回転軸１１を第１のガイド手段である縦孔１２に嵌合させて昇降可能であり、重りとしての作用をするテンションローラ１３と、一端をガイド１４に固定してテンションローラ１３に下方より掛け、ガイド１４に通したのち他端をアーム８に連結し、アーム８の昇降に伴い面板１５に形成されるプール床上の開口部２を遮蔽するシャッター板４と、開口部両側の面板１５に一定の間隔を存して並設される第２のガイド手段としてのガイド棒１７とよりなり、シャッター板４はエッジが面板１５とガイド棒１７とにより支持されて上下動し、ガイド棒１７に押えられて水泳時に手足が強く当たるようなことがあっても開口部内に押し込まれないようにしてある。またテンションローラ１３は、常には自重により降下しようとしてシャッター板４に一定の張力を付与し、シャッター板４がアーム８の昇降に伴い、上下動するにつれ縦孔１２に沿い、ふら付くことなく昇降するようになっている。
【００１３】
【発明の効果】
請求項１記載の発明によると、テンションローラは単にシャッター板に掛けられて重りとしての作用をするだけで、巻取機能を有していないからスプリングを必要とせず、目隠装置の構造を簡単にすることができる。
【００１４】
請求項２記載の発明によると、上記請求項１記載の発明の効果に加え、シャッター板はエッジが第２のガイド手段に支持されることにより開口部内に押し込まれるのを防止することができ、水泳時に手足がシャッター板に当たって、その指先がシャッター板と開口部縁との間に挟まれて怪我をするのを防止することができる、という効果を奏することができる。
【図面の簡単な説明】
【図１】プール床を備えたプールの斜視図。
【図２】プール床昇降装置の正面図。
【図３】目隠装置の概略正面図。
【図４】図３のＡ−Ａ線断面図。
【符号の説明】
１・・プール
１ａ・・側壁
２・・開口部
３・・プール床
４・・シャッター板
５・・昇降装置
６・・ホィール群
７・・索条
８・・アーム
１１・・回転軸
１２・・縦孔
１３・・テンションローラ
１４・・ガイド
１５・・面板
１６・・シャッター板
１７・・ガイド棒
【図１】
0004278274.tif 000002
【図２】
0004278274.tif 000003
【図３】
0004278274.tif 000004
【図４】
0004278274.tif 000005